(57)【要約】【課題】複数同時運転状態での稼働状態をより平均化する。【解決手段】スイッチング素子５ａを備えて、負荷ＬＤが接続される出力端子３ａ，３ｂに出力電圧Ｖｏおよび出力電流Ｉｏを供給する電力変換部５と、電圧Ｖｏを検出して検出電圧Ｖｖを出力する電圧検出部６と、電流Ｉｏを検出して検出電圧Ｖｉを出力する電流検出部７と、各電圧Ｖｖ，Ｖｉから稼働状態検出電圧Ｖｏｐを出力する稼働状態検出部８と、抵抗９と、電圧Ｖｏｐとバランス端子４のバランス電圧Ｖｂｌを比較して差分電圧Ｖｄｆを出力する比較部１０と、初期目標電圧値に対応する電圧値の基準電圧Ｖｒｆを出力する基準電圧出力部１１と、基準電圧Ｖｒｆと差分電圧Ｖｄｆとを合成して基準電圧Ｖｒｓを出力する電圧合成部１２と、各電圧Ｖｖ，Ｖｒｓを比較して誤差電圧Ｖｅｒを出力する誤差検出部１３と、電圧Ｖｅｒに基づいて素子５ａを制御するスイッチング制御部１４とを備えている。【選択図】図１
2019022329.tif 000002
【特許請求の範囲】
【請求項１】
入力電圧をスイッチング素子でスイッチングして変換して、負荷が接続される出力端子に出力電圧および出力電流を供給する電力変換部と、
前記出力電圧を検出して当該出力電圧の電圧値を示す第１検出電圧信号を出力する電圧検出部と、
前記出力電流を検出して当該出力電流の電流値を示す第２検出電圧信号を出力する電流検出部と、
前記第１検出電圧信号および前記第２検出電圧信号に基づいて稼働状態に対応して電圧値が変化する稼働状態検出電圧を出力する稼働状態検出部と、
前記稼働状態検出電圧を入力してバランス端子に出力する突き合わせ回路部と、
前記稼働状態検出電圧と前記バランス端子に発生するバランス電圧とを比較して両電圧の差分に応じて変化する差分電圧信号を出力する比較部と、
前記出力電圧についての初期目標電圧値に対応する第１基準電圧値を示す第１基準電圧信号を出力する基準電圧出力部と、
前記第１基準電圧信号と前記差分電圧信号とを合成して第２基準電圧信号を出力する電圧合成部と、
前記第１検出電圧信号と前記第２基準電圧信号とを比較して両電圧信号の差分に応じて変化する誤差電圧信号を出力する誤差検出部と、
前記誤差電圧信号に基づいて前記スイッチング素子のスイッチング動作を制御することにより、前記稼働状態検出電圧と前記バランス電圧の前記差分を減少させ、かつ前記第１検出電圧信号と前記第２基準電圧信号の前記差分を減少させるスイッチング制御部とを備えている電源装置。
【請求項２】
装置についての温度を検出して当該温度を示す第３検出電圧信号を出力する温度検出部を備え、
前記稼働状態検出部は、前記第１検出電圧信号および前記第２検出電圧信号に加えて前記第３検出電圧信号に基づいて前記稼働状態検出電圧を出力する請求項１記載の電源装置。
【請求項３】
入力電圧をスイッチング素子でスイッチングして変換して、負荷が接続される出力端子に出力電圧および出力電流を供給する電力変換部と、
前記出力電圧を検出して当該出力電圧の電圧値を示す第１検出電圧信号を出力する電圧検出部と、
前記出力電流を検出して当該出力電流の電流値を示す第２検出電圧信号を出力する電流検出部と、
装置についての温度を検出して当該温度を示す第３検出電圧信号を出力する温度検出部と、
前記第２検出電圧信号および前記第３検出電圧信号に基づいて稼働状態に対応して電圧値が変化する稼働状態検出電圧を出力する稼働状態検出部と、
前記稼働状態検出電圧を入力してバランス端子に出力する突き合わせ回路部と、
前記稼働状態検出電圧と前記バランス端子に発生するバランス電圧とを比較して両電圧の差分に応じて変化する差分電圧信号を出力する比較部と、
前記出力電圧についての初期目標電圧値に対応する第１基準電圧値を示す第１基準電圧信号を出力する基準電圧出力部と、
前記第１基準電圧信号と前記差分電圧信号とを合成して第２基準電圧信号を出力する電圧合成部と、
前記第１検出電圧信号と前記第２基準電圧信号とを比較して両電圧信号の差分に応じて変化する誤差電圧信号を出力する誤差検出部と、
前記誤差電圧信号に基づいて前記スイッチング素子のスイッチング動作を制御することにより、前記稼働状態検出電圧と前記バランス電圧の前記差分を減少させ、かつ前記第１検出電圧信号と前記第２基準電圧信号の前記差分を減少させるスイッチング制御部とを備えている電源装置。
【請求項４】
前記稼働状態検出部と前記突き合わせ回路部との間に配設されて、当該稼働状態検出部から出力される前記稼働状態検出電圧を電気的に絶縁して当該突き合わせ回路部に出力する絶縁回路を備え、
前記比較部は、比較して得られた前記差分電圧信号を電気的に絶縁して前記電圧合成部に出力する絶縁アンプを有している請求項１から３のいずれかに記載の電源装置。
【発明の詳細な説明】
【技術分野】
【０００１】
本発明は、負荷に対して複数個を並列または直列に接続して同時運転を可能に構成された電源装置に関するものである。
【背景技術】
【０００２】
この種の電源装置として、下記の特許文献１において従来の技術として開示された電源装置（電源ユニット）が一般的なものとして広く知られている。この電源装置は、ＣＢ（電流バランス）端子を備え、同一の負荷に対して並列に接続された状態においてそれぞれのＣＢ端子が共通のラインによって相互に接続される。各電源装置は、出力電流検出回路、突き合わせ回路（具体的には抵抗器）、比較回路、基準電圧発生回路、合成回路、出力電圧検出回路、オペアンプ、ＰＷＭ／ＦＭ制御回路、およびスイッチング素子を有して入力電圧から出力電圧を生成するスイッチング回路部を備えている。
【０００３】
各電源装置では、出力電流検出回路が電源装置から負荷に供給している出力電流を検出して電流値に比例した電圧（電流検出電圧）を生成して、突き合わせ回路を構成する抵抗器の一端に出力すると共に比較回路に出力する。突き合わせ回路を構成する抵抗器の他端はＣＢ端子に接続されているため、上記したように各電源装置のＣＢ端子が共通のラインで接続されている状態では、ＣＢ端子の電圧は、各電源装置の出力電流検出回路から出力される電流検出電圧の平均電圧となる。また、このＣＢ端子の電圧（平均電圧）は、比較回路に出力される。比較回路では、この平均電圧と電流検出電圧とを比較してその差を増幅して差分電圧として出力する。基準電圧発生回路は、出力電圧を規定するための元となる基準電圧を発生させる回路であり、この基準電圧は内蔵された調整抵抗によって調整可能に構成されている。合成回路は、この基準電圧に比較回路から出力される差分電圧を合成（電圧加算）して、出力電圧についての最終的な基準電圧としてオペアンプに出力する。出力電圧検出回路は、電源装置の出力端子間の電圧を出力電圧として検出すると共に、これに比例した電圧検出電圧を生成してオペアンプに出力する。オペアンプは、電圧検出電圧と最終的な基準電圧とを比較してその差を示す誤差電圧をＰＷＭ／ＦＭ制御回路に出力する。ＰＷＭ／ＦＭ制御回路は、入力される誤差電圧に応じてスイッチング素子を制御することにより、入力電流のＰＷＭ／ＦＭ制御を行う。
【０００４】
この構成により、各電源装置では、自身の出力電流と各電源装置の出力電流の平均とに差が生じているとき、つまり比較回路から出力される差分電圧がゼロでないときには、合成回路から出力される最終的な基準電圧がこの差分電圧に応じて変更されて、オペアンプおよびＰＷＭ／ＦＭ制御回路が、出力電圧検出回路から出力される電圧検出電圧がこの最終的な基準電圧と一致するようにスイッチング素子を制御する。これにより、各電源装置の出力電流は、すべての電源装置の出力電流の平均に揃えられる。つまり、各電源装置の出力電流は同じ電流値に揃えられる。
【先行技術文献】
【特許文献】
【０００５】
【特許文献１】特開平４−３２２１２９号公報（第２−３頁、第７−１１図）
【発明の概要】
【発明が解決しようとする課題】
【０００６】
ところが、上記の電源装置には、以下のような解決すべき課題が存在している。具体的には、この電源装置では、複数個を共通の負荷に対して並列に接続して並列運転したときの各電源装置から負荷に出力される出力電流を揃えることはできている。一方、各電源装置の出力端子と負荷とを接続する出力配線の長さは電源装置毎に異なるのが通常である（つまり、電源装置毎に出力配線の抵抗値がばらつくのが通常である）ことから、各電源装置の出力端子間での出力電圧には差が生じている。すなわち、負荷までの出力配線の抵抗値が大きい電源装置ほど、出力配線での電圧降下が大きくなることから、高い出力電圧を出力する。したがって、電源装置毎に稼働状態（この場合には、出力電力）が異なるという状況が生じる結果、各電源装置の寿命にも長短が生じるという解決すべき課題が存在している。
【０００７】
本発明は、かかる課題を解決するためになされたものであり、複数同時運転状態での稼働状態をより平均化し得る電源装置を提供することを主目的とする。
【課題を解決するための手段】
【０００８】
上記目的を達成すべく、本発明に係る電源装置は、入力電圧をスイッチング素子でスイッチングして変換して、負荷が接続される出力端子に出力電圧および出力電流を供給する電力変換部と、前記出力電圧を検出して当該出力電圧の電圧値を示す第１検出電圧信号を出力する電圧検出部と、前記出力電流を検出して当該出力電流の電流値を示す第２検出電圧信号を出力する電流検出部と、前記第１検出電圧信号および前記第２検出電圧信号に基づいて稼働状態に対応して電圧値が変化する稼働状態検出電圧を出力する稼働状態検出部と、前記稼働状態検出電圧を入力してバランス端子に出力する突き合わせ回路部と、前記稼働状態検出電圧と前記バランス端子に発生するバランス電圧とを比較して両電圧の差分に応じて変化する差分電圧信号を出力する比較部と、前記出力電圧についての初期目標電圧値に対応する第１基準電圧値を示す第１基準電圧信号を出力する基準電圧出力部と、前記第１基準電圧信号と前記差分電圧信号とを合成して第２基準電圧信号を出力する電圧合成部と、前記第１検出電圧信号と前記第２基準電圧信号とを比較して両電圧信号の差分に応じて変化する誤差電圧信号を出力する誤差検出部と、前記誤差電圧信号に基づいて前記スイッチング素子のスイッチング動作を制御することにより、前記稼働状態検出電圧と前記バランス電圧の前記差分を減少させ、かつ前記第１検出電圧信号と前記第２基準電圧信号の前記差分を減少させるスイッチング制御部とを備えている。
【０００９】
これにより、本発明の電源装置では、稼働状態検出部が第１検出電圧信号および第２検出電圧信号に基づいて稼働状態としての出力電力の状態（出力電力値）に対応して電圧値が変化する稼働状態検出電圧を出力し、この稼働状態検出電圧が突き合わせ回路部を介してバランス端子に出力される。したがって、この電源装置によれば、共通の負荷に対して複数個を並列に接続すると共に、各電源装置のバランス端子を共通のラインで接続することにより、各電源装置から負荷に出力される出力電力を同一に揃えること（稼働状態を揃えること（平均化すること））ができる結果、出力電力の少ない多いに起因して各電源装置の寿命に長短が生じる事態を回避すること、つまり、各電源装置の寿命を揃えて全体としての寿命を長くすることができる。
【００１０】
また、本発明に係る電源装置は、装置についての温度を検出して当該温度を示す第３検出電圧信号を出力する温度検出部を備え、前記稼働状態検出部は、前記第１検出電圧信号および前記第２検出電圧信号に加えて前記第３検出電圧信号に基づいて前記稼働状態検出電圧を出力する。
【００１１】
これにより、本発明の電源装置によれば、各電源装置での稼働状態（出力電力に装置の温度（例えば内部温度）を加味した稼働状態）を同一に揃えることができる。すなわち、この電源装置によれば、出力電力の少ない多いだけではなく、電源装置の寿命に影響を与える温度についても考慮して、各電源装置の寿命に長短が生じることを回避すること、つまり、各電源装置の寿命を揃えて全体としての寿命を長くすることができる。
【００１２】
また、本発明に係る電源装置は、入力電圧をスイッチング素子でスイッチングして変換して、負荷が接続される出力端子に出力電圧および出力電流を供給する電力変換部と、前記出力電圧を検出して当該出力電圧の電圧値を示す第１検出電圧信号を出力する電圧検出部と、前記出力電流を検出して当該出力電流の電流値を示す第２検出電圧信号を出力する電流検出部と、装置についての温度を検出して当該温度を示す第３検出電圧信号を出力する温度検出部と、前記第２検出電圧信号および前記第３検出電圧信号に基づいて稼働状態に対応して電圧値が変化する稼働状態検出電圧を出力する稼働状態検出部と、前記稼働状態検出電圧を入力してバランス端子に出力する突き合わせ回路部と、前記稼働状態検出電圧と前記バランス端子に発生するバランス電圧とを比較して両電圧の差分に応じて変化する差分電圧信号を出力する比較部と、前記出力電圧についての初期目標電圧値に対応する第１基準電圧値を示す第１基準電圧信号を出力する基準電圧出力部と、前記第１基準電圧信号と前記差分電圧信号とを合成して第２基準電圧信号を出力する電圧合成部と、前記第１検出電圧信号と前記第２基準電圧信号とを比較して両電圧信号の差分に応じて変化する誤差電圧信号を出力する誤差検出部と、前記誤差電圧信号に基づいて前記スイッチング素子のスイッチング動作を制御することにより、前記稼働状態検出電圧と前記バランス電圧の前記差分を減少させ、かつ前記第１検出電圧信号と前記第２基準電圧信号の前記差分を減少させるスイッチング制御部とを備えている。
【００１３】
これにより、本発明の電源装置によれば、各電源装置での稼働状態（出力電流に装置の温度（例えば内部温度）を加味した稼働状態）を同一に揃えることができることから、この稼働状態のばらつきに起因して各電源装置の寿命に長短が生じることを回避すること、つまり、各電源装置の寿命を揃えて全体としての寿命を長くすることができる。
【００１４】
また、本発明に係る電源装置は、前記稼働状態検出部と前記突き合わせ回路部との間に配設されて、当該稼働状態検出部から出力される前記稼働状態検出電圧を電気的に絶縁して当該突き合わせ回路部に出力する絶縁回路を備え、前記比較部は、比較して得られた前記差分電圧信号を電気的に絶縁して前記電圧合成部に出力する絶縁アンプを有している。
【００１５】
これにより、本発明の電源装置によれば、共通の負荷に対して複数個を直列に接続すると共に、各電源装置のバランス端子を共通のラインで接続することにより、各電源装置の出力電圧を加算して負荷に出力しつつ、各電源装置の稼働状態を揃えること（各電源装置から負荷に出力される出力電力や、出力電力に温度を加味した稼働状態や、出力電流に温度を加味した稼働状態を揃えること）ができる結果、稼働状況が異なることに起因して各電源装置の寿命に長短が生じる事態を回避すること、つまり、各電源装置の寿命を揃えて全体としての寿命を長くすることができる。
【発明の効果】
【００１６】
本発明によれば、複数同時運転状態での稼働状態をより平均化し得る電源装置を提供することができる。
【図面の簡単な説明】
【００１７】
【図１】稼働状態を示すパラメータとして出力電力を使用したときの電源装置１Ａの構成、およびこの電源装置１Ａを３個並列に接続して同時運転させるときの構成を示す構成図である。
【図２】稼働状態を示すパラメータとして出力電力を使用したときの電源装置１Ｂの構成、および各電源装置１Ａ，１Ｂを直列に接続して同時運転させるときの構成を示す構成図である。
【図３】稼働状態を示すパラメータとして出力電力および温度を使用したときの電源装置１Ｃの構成を示す構成図である。
【図４】稼働状態を示すパラメータとして出力電流および温度を使用したときの電源装置１Ｄの構成を示す構成図である。
【発明を実施するための形態】
【００１８】
以下、電源装置の実施の形態について、図面を参照しつつ説明する。
【００１９】
まず、電源装置の一例としての電源装置１Ａの構成について図１を参照して説明する。この電源装置１Ａ（図１中では、３個の電源装置１Ａを区別するために、電源装置１Ａ１，１Ａ２，１Ａ３と表記している）は、一例として、一対の入力端子２ａ，２ｂ（以下、特に区別しないときには「入力端子２」ともいう）、一対の出力端子３ａ，３ｂ（以下、特に区別しないときには「出力端子３」ともいう）、バランス端子４、電力変換部５、電圧検出部６、電流検出部７、稼働状態検出部８、突き合わせ回路部９、比較部１０、基準電圧出力部１１、電圧合成部１２、誤差検出部１３、およびスイッチング制御部１４を備え、入力端子２間に入力された入力電圧Ｖｉｎを電力変換部５（具体的には、電力変換部５の後述するスイッチング素子５ａ）でスイッチングして変換して、負荷ＬＤが接続された出力端子３間に出力電圧（直流出力電圧）Ｖｏおよび出力電流（直流出力電流）Ｉｏを供給可能に構成されている。なお、図１中では、３個の電源装置１Ａ１，１Ａ２，１Ａ３に対応させて、出力電圧Ｖｏ１，Ｖｏ２，Ｖｏ３と表記し、また出力電流Ｉｏ１，Ｉｏ２，Ｉｏ３と表記している。
【００２０】
電力変換部５は、少なくとも１つのスイッチング素子５ａを備えて、入力端子２を介して入力される入力電圧Ｖｉｎをこのスイッチング素子５ａでスイッチングして出力電圧Ｖｏに変換すると共に、この出力電圧Ｖｏを出力端子３間に出力する。また、電力変換部５は、負荷ＬＤに供給される出力電流Ｉｏについても、出力端子３に出力する。電力変換部５は、入力電圧Ｖｉｎが交流電圧のときにはＡＣ−ＤＣコンバータとして構成されて出力電圧Ｖｏを出力し、また入力電圧Ｖｉｎが直流電圧のときにはＤＣ−ＤＣコンバータとして構成されて出力電圧Ｖｏを出力する。この場合、スイッチング素子５ａは、スイッチング制御部１４から出力される後述の駆動信号Ｓｄにより、スイッチング動作する（オン・オフ動作する）。
【００２１】
電圧検出部６は、出力電圧Ｖｏを検出すると共に、この出力電圧Ｖｏの電圧値を示す第１検出電圧信号としての第１検出電圧Ｖｖ（出力電圧Ｖｏの電圧値に応じて電圧値が変化する第１検出電圧Ｖｖ）を出力する。電流検出部７は、出力電流Ｉｏを検出すると共に、この出力電流Ｉｏの電流値を示す第２検出電圧信号としての第２検出電圧Ｖｉ（出力電流Ｉｏの電流値に応じて電圧値が変化する第２検出電圧Ｖｉ）に変換して出力する。
【００２２】
稼働状態検出部８は、本例では一例として、第１検出電圧信号および第２検出電圧信号（本例では、第１検出電圧Ｖｖおよび第２検出電圧Ｖｉ）に基づいて稼働状態に対応して電圧値が変化する稼働状態検出電圧Ｖｏｐ（図１中では、３個の電源装置１Ａ１，１Ａ２，１Ａ３に対応させて、稼働状態検出電圧Ｖｏｐ１，Ｖｏｐ２，Ｖｏｐ３と表記している）を出力する。本例での稼働状態とは、第１検出電圧Ｖｖおよび第２検出電圧Ｖｉに基づいて検出される電源装置１Ａが、負荷ＬＤに現在出力している出力電力の状態（出力電力値）である。つまり、稼働状態検出部８は、稼働状態を示すパラメータとして出力電力を使用して稼働状態検出電圧Ｖｏｐを出力し、出力電力が増加したときには、より重い稼働状態になったことに対応してこの稼働状態検出電圧Ｖｏｐの電圧値を上昇させ、一方、出力電力が減少したときには、より軽い稼働状態になったことに対応してこの稼働状態検出電圧Ｖｏｐの電圧値を低下させる。
【００２３】
突き合わせ回路部９は、例えば、抵抗（規定の抵抗値の抵抗）で構成されている。このため、本例では以下において、抵抗９ともいう。この抵抗９は、一端が稼働状態検出部８に接続されることで、この一端に稼働状態検出電圧Ｖｏｐが印加される。また、抵抗９は、他端がバランス端子４に接続されている。つまり、抵抗９は、稼働状態検出部８から出力される稼働状態検出電圧Ｖｏｐをバランス端子４に出力する。バランス端子４は、複数の電源装置１Ａが並列または直列に接続されて同時運転される際には、図１に示すように、他の電源装置１Ａのバランス端子４と共通のラインＬＮ（バランス線）で接続される。この場合、他端がこのラインＬＮによって互いに接続された各電源装置１Ａの抵抗（同一抵抗値の抵抗）９は、公知のアナログ電圧の平均回路を構成する。したがって、各電源装置１Ａの抵抗９の一端に各電源装置１Ａの稼働状態検出部８から印加されている稼働状態検出電圧Ｖｏｐは、この抵抗９で構成される平均回路によって平均され、この平均された電圧がバランス電圧Ｖｂｌとして各バランス端子４に発生する。
【００２４】
比較部１０は、例えばオペアンプを用いて構成されて、稼働状態検出電圧Ｖｏｐとバランス電圧Ｖｂｌとを比較して、両電圧Ｖｏｐ，Ｖｂｌの差分に応じて変化する差分電圧信号としての差分電圧Ｖｄｆ（この差分に応じて電圧値が変化する電圧）を出力する。例えば、比較部１０は、稼働状態検出電圧Ｖｏｐがバランス電圧Ｖｂｌよりも低いときには、極性が正であって、両電圧Ｖｏｐ，Ｖｂｌの差分の絶対値に比例した電圧値で差分電圧Ｖｄｆを出力し、一方、稼働状態検出電圧Ｖｏｐがバランス電圧Ｖｂｌよりも高いときには、極性が負であって、両電圧Ｖｏｐ，Ｖｂｌの差分の絶対値に比例した電圧値で差分電圧Ｖｄｆを出力する。また、比較部１０は、両電圧Ｖｏｐ，Ｖｂｌの差分を減少させるための信号としてこの差分電圧Ｖｄｆを出力する。
【００２５】
基準電圧出力部１１は、この電源装置１Ａでの出力電圧Ｖｏについての初期目標電圧値に対応する第１基準電圧値を示す第１基準電圧信号としての第１基準電圧Ｖｒｆ（図１中では、３個の電源装置１Ａ１，１Ａ２，１Ａ３に対応させて、第１基準電圧Ｖｒｆ１，Ｖｒｆ２，Ｖｒｆ３と表記している）を出力する。例えば、複数の電源装置１Ａが負荷ＬＤに対して並列に接続されて同時運転される場合、各電源装置１Ａと負荷ＬＤとを接続する配線の長さは、同一になることは希であり、通常は互いに相違する。このため、この配線で生じる電圧降下が電源装置１Ａ毎に相違することから、電源装置１Ａ毎の電圧降下を考慮して、第１基準電圧Ｖｒｆの第１基準電圧値が個別に調整される。
【００２６】
電圧合成部１２は、第１基準電圧信号と差分電圧信号（本例では、第１基準電圧Ｖｒｆと差分電圧Ｖｄｆ）とを合成（加算）して第２基準電圧信号としての第２基準電圧Ｖｒｓを出力する。この場合、差分電圧Ｖｄｆは、稼働状態検出電圧Ｖｏｐとバランス電圧Ｖｂｌとに基づいて上記のように極性および電圧値が変化する。このため、第２基準電圧Ｖｒｓは、稼働状態検出電圧Ｖｏｐとバランス電圧Ｖｂｌとが一致しているときには、差分電圧Ｖｄｆがゼロボルトになることから、第１基準電圧Ｖｒｆと同じ電圧値となる。また、第２基準電圧Ｖｒｓは、稼働状態検出電圧Ｖｏｐがバランス電圧Ｖｂｌよりも低いときには、差分電圧Ｖｄｆが極性が正で、かつ両電圧Ｖｏｐ，Ｖｂｌの差分の絶対値に比例した電圧値となることから、第１基準電圧Ｖｒｆよりも差分電圧Ｖｄｆの絶対値だけ高い電圧値となる。また、第２基準電圧Ｖｒｓは、稼働状態検出電圧Ｖｏｐがバランス電圧Ｖｂｌよりも高いときには、差分電圧Ｖｄｆが極性が負で、かつ両電圧Ｖｏｐ，Ｖｂｌの差分の絶対値に比例した電圧値となることから、第１基準電圧Ｖｒｆよりも差分電圧Ｖｄｆの絶対値だけ低い電圧値となる。
【００２７】
誤差検出部１３は、例えばオペアンプを用いて構成されて、第１検出電圧信号と第２基準電圧信号（本例では、第１検出電圧Ｖｖと第２基準電圧Ｖｒｓ）とを比較して両電圧Ｖｖ，Ｖｒｓの差分に応じて変化する誤差電圧信号としての誤差電圧Ｖｅｒ（この差分に応じて電圧値が変化する電圧）を出力する。例えば、誤差検出部１３は、第１検出電圧Ｖｖが第２基準電圧Ｖｒｓよりも低いときには、極性が正であって、両電圧Ｖｖ，Ｖｒｓの差分の絶対値に比例した電圧値で誤差電圧Ｖｅｒを出力し、一方、第１検出電圧Ｖｖが第２基準電圧Ｖｒｓよりも高いときには、極性が負であって、両電圧Ｖｖ，Ｖｒｓの差分の絶対値に比例した電圧値で誤差電圧Ｖｅｒを出力する。また、誤差検出部１３は、両電圧Ｖｖ，Ｖｒｓの差分を減少させるための信号としてこの誤差電圧Ｖｅｒを出力する。なお、本例の誤差検出部１３は、上記したように、両電圧Ｖｖ，Ｖｒｓの差分の絶対値に比例した電圧値で誤差電圧Ｖｅｒを出力する構成（Ｐ制御の構成）を採用しているが、この構成に代えて、ＰＩ制御の構成（先の誤差電圧Ｖｅｒを出力した後の次の誤差電圧Ｖｅｒの出力に際して、現在の両電圧Ｖｖ，Ｖｒｓの差分に相当する分（ΔＶｅｒ）を先の誤差電圧Ｖｅｒに加算したもの（Ｖｅｒ＋ΔＶｅｒ）を出力する構成）を採用することもできる。
【００２８】
スイッチング制御部１４は、誤差検出部１３から出力される誤差電圧信号（本例では、誤差電圧Ｖｅｒ）に基づいて駆動信号Ｓｄを生成して、電力変換部５のスイッチング素子５ａに出力することにより、稼働状態検出電圧Ｖｏｐとバランス電圧Ｖｂｌの差分を減少させ、かつ第１検出電圧信号と第２基準電圧信号（本例では、第１検出電圧Ｖｖと第２基準電圧Ｖｒｓ）の差分を減少させるようにスイッチング素子５ａのスイッチング動作を制御する。具体的には、電力変換部５がＰＷＭ（パルス幅変調）制御によって出力電圧Ｖｏを制御する構成であるときには、スイッチング制御部１４は、駆動信号Ｓｄのデューティ比を制御することで、両電圧Ｖｏｐ，Ｖｂｌの差分が減少し、かつ両電圧Ｖｖ，Ｖｒｓの差分が減少するようにスイッチング素子５ａのスイッチング動作を制御する。一方、電力変換部５がＰＦＭ（パルス周波数変調）制御によって出力電圧Ｖｏを制御する構成であるときには、スイッチング制御部１４は、駆動信号Ｓｄの周波数を制御することで、両電圧Ｖｏｐ，Ｖｂｌの差分が減少し、かつ両電圧Ｖｖ，Ｖｒｓの差分が減少するようにスイッチング素子５ａのスイッチング動作を制御する。
【００２９】
次に、電源装置１Ａの動作について、共通の負荷ＬＤに電源装置１Ａを複数個接続（本例では一例として、図１に示すように３個を並列に接続）して同時運転させる電源システムＰＳＹＳ１を例に挙げて説明する。
【００３０】
なお、本例では一例として、電源装置１Ａ１，１Ａ２，１Ａ３の各入力端子２には、共通の入力電圧Ｖｉｎが入力されるものとするが、これに限らず、電源装置１Ａ１，１Ａ２，１Ａ３の各入力端子２に個別の入力電圧Ｖｉｎが入力される構成であってもよい。
【００３１】
また、電源装置１Ａ１，１Ａ２，１Ａ３は負荷ＬＤにそれぞれ接続されてはいるが、それぞれのバランス端子４が共通のラインＬＮで接続される前の状態において、同じ電流値の出力電流Ｉｏを出力しているときの負荷ＬＤの両端間の電圧ＶＬが揃うように、それぞれの第１基準電圧Ｖｒｆが第１基準電圧Ｖｒｆ１，Ｖｒｆ２，Ｖｒｆ３に個別に調整されているものとする。この場合、例えば、負荷ＬＤとの間の配線の抵抗値が電源装置１Ａ１，１Ａ２，１Ａ３の順に大きい（高い）ときには、同じ電流値の出力電流Ｉｏが流れたときの配線での電圧降下もこの順に大きくなる。このことから、電源装置１Ａ１，１Ａ２，１Ａ３の各出力電圧Ｖｏ１，Ｖｏ２，Ｖｏ３についてはこの順に高くする必要があるため、第１基準電圧Ｖｒｆ１，Ｖｒｆ２，Ｖｒｆ３はこの順に高くなるように調整されているものとする。
【００３２】
図１に示す電源システムＰＳＹＳ１において同時に運転させられている各電源装置１Ａ１，１Ａ２，１Ａ３では、電圧検出部６が出力電圧Ｖｏを検出して第１検出電圧Ｖｖを出力し、また電流検出部７が出力電流Ｉｏを検出すると共に電圧信号としての第２検出電圧Ｖｉに変換して出力している。また、稼働状態検出部８が、第１検出電圧Ｖｖおよび第２検出電圧Ｖｉに基づいて、稼働状態（本例では、第１検出電圧Ｖｖおよび第２検出電圧Ｖｉに基づいて検出される出力電力の電力量）に対応して電圧値が変化する稼働状態検出電圧Ｖｏｐ１，Ｖｏｐ２，Ｖｏｐ３を出力する。また、これらの稼働状態検出電圧Ｖｏｐ１，Ｖｏｐ２，Ｖｏｐ３は、他端がバランス端子４およびラインＬＮを経由して互いに接続されて平均回路を構成するそれぞれの抵抗９の一端に印加される。このため、バランス端子４には、稼働状態検出電圧Ｖｏｐ１，Ｖｏｐ２，Ｖｏｐ３の平均電圧であるバランス電圧Ｖｂｌ（＝（Ｖｏｐ１＋Ｖｏｐ２＋Ｖｏｐ３）／３）が発生する。
【００３３】
また、各電源装置１Ａ１，１Ａ２，１Ａ３では、比較部１０が、それぞれの装置１Ａ１，１Ａ２，１Ａ３での稼働状態検出電圧Ｖｏｐ１，Ｖｏｐ２，Ｖｏｐ３と共通のバランス電圧Ｖｂｌとを個別に比較して、稼働状態検出電圧Ｖｏｐ１，Ｖｏｐ２，Ｖｏｐ３のそれぞれとバランス電圧Ｖｂｌとの差分に応じて変化する差分電圧Ｖｄｆを出力する。この場合、比較部１０は、上記したように、稼働状態検出電圧Ｖｏｐがバランス電圧Ｖｂｌよりも低いとき、つまり、この稼働状態検出電圧Ｖｏｐを出力している稼働状態検出部８が設けられた電源装置１Ａでの出力電力が、バランス電圧Ｖｂｌで示される各電源装置１Ａ１，１Ａ２，１Ａ３での出力電力の平均よりも低いときには、両電圧Ｖｏｐ，Ｖｂｌの差分の絶対値に比例した電圧値であって極性が正の差分電圧Ｖｄｆを出力する。一方、比較部１０は、上記したように、稼働状態検出電圧Ｖｏｐがバランス電圧Ｖｂｌよりも高いとき、つまり、この稼働状態検出電圧Ｖｏｐを出力している稼働状態検出部８が設けられた電源装置１Ａでの出力電力が、バランス電圧Ｖｂｌで示される各電源装置１Ａ１，１Ａ２，１Ａ３での出力電力の平均よりも高いときには、両電圧Ｖｏｐ，Ｖｂｌの差分の絶対値に比例した電圧値であって極性が負の差分電圧Ｖｄｆを出力する。
【００３４】
また、各電源装置１Ａ１，１Ａ２，１Ａ３では、電圧合成部１２が第１基準電圧Ｖｒｆとこの差分電圧Ｖｄｆとを合成（加算）して第２基準電圧Ｖｒｓを出力する。これにより、バランス電圧Ｖｂｌで示される各電源装置１Ａ１，１Ａ２，１Ａ３での出力電力の平均よりも出力電力が小さい電源装置１Ａでは、第１基準電圧Ｖｒｆに正の差分電圧Ｖｄｆが合成（加算）されることから、第２基準電圧Ｖｒｓは第１基準電圧Ｖｒｆよりも高い電圧値となる。一方、バランス電圧Ｖｂｌで示される各電源装置１Ａ１，１Ａ２，１Ａ３での出力電力の平均よりも出力電力が大きい電源装置１Ａでは、第１基準電圧Ｖｒｆに負の差分電圧Ｖｄｆが合成（加算）されることから、第２基準電圧Ｖｒｓは第１基準電圧Ｖｒｆよりも低い電圧値となる。
【００３５】
また、各電源装置１Ａ１，１Ａ２，１Ａ３では、誤差検出部１３が、第１検出電圧Ｖｖと第２基準電圧Ｖｒｓの差分に応じて変化する誤差電圧Ｖｅｒを出力し、スイッチング制御部１４が、この誤差電圧Ｖｅｒに基づいて駆動信号Ｓｄを生成して、電力変換部５のスイッチング素子５ａに出力することにより、両電圧Ｖｏｐ，Ｖｂｌの差分が減少し、かつ両電圧Ｖｖ，Ｖｒｓの差分が減少するようにスイッチング素子５ａのスイッチング動作を制御する。
【００３６】
これにより、バランス電圧Ｖｂｌで示される各電源装置１Ａ１，１Ａ２，１Ａ３での出力電力の平均よりも出力電力が小さい電源装置１Ａでは、上記したように第２基準電圧Ｖｒｓが第１基準電圧Ｖｒｆよりも高い電圧値となり、これに伴い、スイッチング制御部１４が、誤差電圧Ｖｅｒに基づいて両電圧Ｖｖ，Ｖｒｓの差分が減少するように、電力変換部５のスイッチング素子５ａを制御して、出力電圧Ｖｏを上昇させる。したがって、各電源装置１Ａ１，１Ａ２，１Ａ３での出力電力の平均よりも出力電力が小さい電源装置１Ａでは、出力電力が増加させられる。
【００３７】
一方、バランス電圧Ｖｂｌで示される各電源装置１Ａ１，１Ａ２，１Ａ３での出力電力の平均よりも出力電力が大きい電源装置１Ａでは、上記したように第２基準電圧Ｖｒｓが第１基準電圧Ｖｒｆよりも低い電圧値となり、これに伴い、スイッチング制御部１４が、誤差電圧Ｖｅｒに基づいて両電圧Ｖｖ，Ｖｒｓの差分が減少するように、電力変換部５のスイッチング素子５ａを制御して、出力電圧Ｖｏを低下させる。したがって、各電源装置１Ａ１，１Ａ２，１Ａ３での出力電力の平均よりも出力電力が大きい電源装置１Ａでは、出力電力が減少させられる。
【００３８】
この結果、各電源装置１Ａ１，１Ａ２，１Ａ３では、稼働状態検出電圧Ｖｏｐ１，Ｖｏｐ２，Ｖｏｐ３で示されるそれぞれでの出力電力が、バランス電圧Ｖｂｌで示される各電源装置１Ａ１，１Ａ２，１Ａ３での出力電力の平均と一致するように、つまり、稼働状態検出電圧Ｖｏｐ１，Ｖｏｐ２，Ｖｏｐ３で示されるそれぞれの出力電力が一致するように、各出力電圧Ｖｏ１，Ｖｏ２，Ｖｏ３が制御される。
【００３９】
このように、この電源装置１Ａでは、稼働状態検出部８が第１検出電圧Ｖｖおよび第２検出電圧Ｖｉに基づいて稼働状態としての出力電力の状態（出力電力値）に対応して電圧値が変化する稼働状態検出電圧Ｖｏｐを出力し、この稼働状態検出電圧Ｖｏｐが抵抗９を介してバランス端子４に出力される。したがって、この電源装置１Ａによれば、共通の負荷ＬＤに対して複数個を並列に接続すると共に、各電源装置１Ａのバランス端子４を共通のラインＬＮで接続することにより、各電源装置１Ａから負荷ＬＤに出力される出力電力を同一に揃えること（稼働状態を揃えること（平均化すること））ができる結果、出力電力の少ない多い（稼働状態が異なること）に起因して各電源装置１Ａの寿命に長短が生じる事態を回避すること、つまり、各電源装置１Ａの寿命を揃えて全体としての寿命を長くすることができる。
【００４０】
なお、複数の電源装置１Ａを並列接続して同時運転させる電源システムＰＳＹＳ１について上記したが、稼働状態検出部８が第１検出電圧Ｖｖおよび第２検出電圧Ｖｉに基づいて稼働状態としての出力電力の状態（出力電力値）に対応して電圧値が変化する稼働状態検出電圧Ｖｏｐを出力し、この稼働状態検出電圧Ｖｏｐが抵抗９を介してバランス端子４に出力される構成については、図２に示すように、複数の電源装置（この場合には、上記した電源装置１Ａと、他の構成の電源装置１Ｂ）を直列接続して同時運転させる電源システムＰＳＹＳ２にも適用することができる。以下、この電源装置１Ｂおよび電源システムＰＳＹＳ２について説明する。なお、電源装置１Ａおよび電源システムＰＳＹＳ１と同一の構成については同一の符号を付して重複する説明を省略する。
【００４１】
電源装置の一例としての電源装置１Ｂの構成について図２を参照して説明する。この電源装置１Ｂは、一例として、一対の入力端子２ａ，２ｂ、一対の出力端子３ａ，３ｂ、バランス端子４、電力変換部５、電圧検出部６、電流検出部７、稼働状態検出部８、絶縁回路２１、突き合わせ回路部９、比較部２２、基準電圧出力部１１、電圧合成部１２、誤差検出部１３、スイッチング制御部１４、およびコモン端子２３を備え、入力端子２間に入力された入力電圧Ｖｉｎを電力変換部５（具体的には、電力変換部５のスイッチング素子５ａ）でスイッチングして変換して、負荷ＬＤが接続された出力端子３間に出力電圧（直流出力電圧）Ｖｏおよび出力電流（直流出力電流）Ｉｏを供給可能に構成されている。
【００４２】
この場合、電源装置１Ｂは、後述するように、他の電源装置１Ａと直列接続（電源装置１Ａがローサイドとなり、電源装置１Ｂがハイサイドとなる状態で直列接続）されて共通の負荷ＬＤに接続される。このため、ハイサイド側の電源装置１Ｂの電力変換部５は、不図示の絶縁トランスなどを使用して入力電圧Ｖｉｎ側（一次側）と出力電圧Ｖｏ側（二次側）とが電気的に絶縁された絶縁型電力変換部として構成されている。また、電源装置１Ｂでは、スイッチング制御部１４は、この一次側に配置されたスイッチング素子５ａに対して、パルストランスなどの絶縁回路（図示せず）を介して駆動信号Ｓｄを出力する。
【００４３】
また、絶縁回路２１は、例えば、絶縁アンプを有して構成されると共に、稼働状態検出部８と突き合わせ回路部としての抵抗９との間に配設されて、稼働状態検出部８から出力される稼働状態検出電圧Ｖｏｐを電気的に絶縁して抵抗９の一端に出力（印加）する。理解の容易のため、絶縁回路２１から抵抗９に出力される電圧についても、稼働状態検出電圧Ｖｏｐと表記するものとする。また、比較部２２は、例えば、絶縁アンプを有して構成されて、稼働状態検出電圧Ｖｏｐとバランス電圧Ｖｂｌとを比較して、両電圧Ｖｏｐ，Ｖｂｌの差分に応じて変化する差分電圧信号としての差分電圧Ｖｄｆを生成すると共に、この差分電圧Ｖｄｆを電気的に絶縁して電圧合成部１２に出力する。コモン端子２３は、ローサイドとなる電源装置１Ａにおける基準電位Ｇ１の部位（本例では、出力端子３ａ，３ｂのうちの低電位側の出力端子３ｂ）に接続される。
【００４４】
また、電源装置１Ｂでは、図２に示すように、抵抗９、抵抗９に接続される絶縁回路２１の一部の回路、抵抗９に接続される比較部２２の一部の回路、および電力変換部５の一次側の回路（図示せず）は、基準電位Ｇ１を基準電位として動作する回路として構成され、他の回路については基準電位Ｇ２（基準電位Ｇ１に対してフローティング状態（電気的に絶縁された状態）にある電位）を基準電位として動作する回路として構成されている。
【００４５】
次に、電源装置１Ｂおよび電源システムＰＳＹＳ２の動作について説明する。なお、この電源システムＰＳＹＳ２では、図２に示すように、１個の電源装置１Ａをローサイドとして、この電源装置１Ａのハイサイド側に１個以上（本例では１個）の電源装置１Ｂが直列に接続されている。この構成により、電源システムＰＳＹＳ２では、電源装置１Ａの出力電圧Ｖｏ１に、電源装置１Ｂの出力電圧Ｖｏ２が加算された電圧が負荷ＬＤに出力される。また、直列接続された電源装置１Ａ，１Ｂには、同じ出力電流Ｉｏが流れる。
【００４６】
また、各電源装置１Ａ，１Ｂの稼働状態検出電圧Ｖｏｐおよび第１基準電圧Ｖｒｆについては、それぞれの出力電圧Ｖｏ１，Ｖｏ２の表記に対応させて、稼働状態検出電圧Ｖｏｐ１，Ｖｏｐ２、および第１基準電圧Ｖｒｆ１，Ｖｒｆ２と表記するものとする。
【００４７】
また、各電源装置１Ａ，１Ｂの第１基準電圧Ｖｒｆ１，Ｖｒｆ２については、負荷ＬＤの両端間の電圧ＶＬの１／２の電圧が出力電圧Ｖｏ１，Ｖｏ２として出力されるように予め調整されているものとする。
【００４８】
電源装置１Ｂでは、上記したように、電力変換部５が絶縁型電力変換部として構成され、かつ抵抗９およびこの抵抗９に接続される一部の回路が装置内の他の回路に対して電気的に絶縁されている点において、電源装置１Ａと構成上相違しているが、基本的な動作については電源装置１Ａと同じである。したがって、この電源システムＰＳＹＳ２では、各電源装置１Ａ，１Ｂは、稼働状態検出電圧Ｖｏｐ１，Ｖｏｐ２で示されるそれぞれでの出力電力が、バランス電圧Ｖｂｌで示される各電源装置１Ａ，１Ｂでの出力電力の平均と一致するように、つまり、稼働状態検出電圧Ｖｏｐ１，Ｖｏｐ２で示されるそれぞれの出力電力が一致するように各出力電圧Ｖｏ１，Ｖｏ２が制御されて、この出力電圧Ｖｏ１，Ｖｏ２の加算電圧が負荷ＬＤに出力される。
【００４９】
このように、この電源装置１Ｂによれば、共通の負荷ＬＤに対して電源装置１Ａと組み合わせて複数個を直列に接続すると共に、各電源装置１Ａ，１Ｂのバランス端子４を共通のラインＬＮで接続することにより、出力電圧Ｖｏ１，Ｖｏ２を加算して負荷ＬＤに出力しつつ、電源装置１Ａ，１Ｂから負荷ＬＤに出力される出力電力を同一に揃えること（稼働状態を揃えること）ができる結果、出力電力の少ない多い（稼働状態が異なること）に起因して各電源装置１Ａ，１Ｂの寿命に長短が生じる事態を回避すること、つまり、各電源装置１Ａ，１Ｂの寿命を揃えて全体としての寿命を長くすることができる。
【００５０】
なお、上記の電源装置１Ａ，１Ｂでは、稼働状態検出部８において、出力電圧Ｖｏの電圧値に応じて電圧値が変化する第１検出電圧Ｖｖと、出力電流Ｉｏの電流値に応じて電圧値が変化する第２検出電圧Ｖｉとだけに基づいて、電源装置１Ａ，１Ｂの稼働状態を示す稼働状態検出電圧Ｖｏｐ（稼働状態に対応して電圧値が変化する稼働状態検出電圧Ｖｏｐ）を出力する構成、つまり、出力電力だけを稼働状態を示すパラメータとして使用して稼働状態検出電圧Ｖｏｐを出力する構成を採用しているが、これに限定されるものではない。
【００５１】
例えば、稼働状態検出部８が、第１検出電圧Ｖｖと第２検出電圧Ｖｉとに基づいて規定される出力電力に加えて、電源装置についての温度を稼働状態を示すパラメータとして使用して、稼働状態検出電圧Ｖｏｐを出力するという構成を採用することもできる。この構成を採用した電源装置１Ｃについて、図３を参照して説明する。なお、電源装置１Ｃは、一例として電源装置１Ａをベースとしているため、同一の構成については同一の符号を付して重複する説明を省略する。また、図示はしないが、電源装置１Ｂをベースとしてもよいのは勿論である。
【００５２】
この電源装置１Ｃは、電源装置１Ａの構成に加えて、装置についての温度（本例では一例として、装置の内部温度）を検出してこの内部温度に応じて変化する第３検出電圧信号としての第３検出電圧Ｖｔ（この内部温度に応じて電圧値が変化する電圧）を出力する温度検出部２４を備え、稼働状態検出部８が、第１検出電圧信号および第２検出電圧信号に加えて第３検出電圧信号に基づいて、つまり、第３検出電圧Ｖｔで示される内部温度、および出力電力（つまり、第１検出電圧Ｖｖおよび第２検出電圧Ｖｉ）を稼働状態を示すパラメータとして使用して、稼働状態検出電圧Ｖｏｐを出力するように構成されている。なお、装置についての温度は、電源装置の内部温度に限定されず、電源装置の近傍の外気温度とすることもできる。また、内部温度としては、例えば、電源装置を構成する電子部品のうちの寿命が温度から強く影響を受ける電子部品（例えばコンデンサ）の近傍の温度とすることができる。
【００５３】
この電源装置１Ｃによれば、共通の負荷ＬＤに対して複数個を並列に接続すると共に、各電源装置１Ｃのバランス端子４を共通のラインＬＮで接続することにより、各電源装置１Ｃでの稼働状態（出力電力に内部温度を加味した稼働状態）を同一に揃えることができる。すなわち、この電源装置１Ｃによれば、出力電力の少ない多いだけではなく、電源装置１Ｃの寿命に影響を与える内部温度についても考慮して、各電源装置１Ｃの稼働状態が異なることに起因して各電源装置１Ｃの寿命に長短が生じることを回避すること、つまり、各電源装置１Ｃの寿命を揃えて全体としての寿命を長くすることができる。また、この電源装置１Ｃと、電源装置１Ｂをベースとして温度検出部２４を備えた電源装置とによれば、共通の負荷ＬＤに対して複数個を直列に接続した構成においても、出力電力の少ない多いだけではなく、電源装置１Ｃおよび電源装置１Ｂをベースとするこの電源装置の寿命に影響を与える内部温度についても考慮して、電源装置１Ｃ等の寿命に長短が生じることを回避すること、つまり、電源装置１Ｃ等の寿命を揃えて全体としての寿命を長くすることができる。
【００５４】
また、上記の電源装置１Ａ，１Ｂ，１Ｃでは、稼働状態検出部８において、第１検出電圧Ｖｖおよび第２検出電圧Ｖｉに基づく出力電力を稼働状態を示すパラメータとして使用して、電源装置１Ａ，１Ｂ，１Ｃの稼働状態に対応して電圧値が変化する（稼働状態を示す）稼働状態検出電圧Ｖｏｐを出力する構成を採用しているが、これに限定されるものではない。例えば、稼働状態検出部８が、第２検出電圧Ｖｉで示される出力電流Ｉｏの電流値と第３検出電圧Ｖｔで示される内部温度とを稼働状態を示すパラメータとして使用して、稼働状態検出電圧Ｖｏｐを出力するという構成を採用することもできる。この構成を採用した電源装置１Ｄについて、図４を参照して説明する。なお、電源装置１Ｄは、一例として電源装置１Ａをベースとしているため、同一の構成については同一の符号を付して重複する説明を省略する。また、図示はしないが、電源装置１Ｂをベースとしてもよいのは勿論である。
【００５５】
この電源装置１Ｄは、電源装置１Ａの構成に加えて、第３検出電圧Ｖｔを出力する温度検出部２４を備え、稼働状態検出部８が、第２検出電圧Ｖｉで示される出力電流Ｉｏおよび第３検出電圧Ｖｔで示される内部温度を稼働状態を示すパラメータとして使用して稼働状態検出電圧Ｖｏｐを出力するように構成されている。
【００５６】
この電源装置１Ｄによれば、共通の負荷ＬＤに対して複数個を並列に接続すると共に、各電源装置１Ｄのバランス端子４を共通のラインＬＮで接続することにより、各電源装置１Ｄでの稼働状態（出力電流に内部温度を加味した稼働状態）を同一に揃えることができることから、この稼働状態が異なることに起因して各電源装置１Ｄの寿命に長短が生じることを回避すること、つまり、各電源装置１Ｃの寿命を揃えて全体としての寿命を長くすることができる。また、この電源装置１Ｄと、電源装置１Ｂをベースとして温度検出部２４を備えた電源装置（稼働状態検出部８が稼働状態を示すパラメータとして出力電流Ｉｏおよび内部温度を使用して稼働状態検出電圧Ｖｏｐを出力する電源装置）とによれば、共通の負荷ＬＤに対して複数個を直列に接続した構成においても、この稼働状態のばらつきに起因して電源装置１Ｄ等の寿命に長短が生じることを回避すること、つまり、電源装置１Ｄ等の寿命を揃えて全体としての寿命を長くすることができる。
【００５７】
また、上記した電源装置１Ａ，１Ｂ，１Ｃ，１Ｄでは、第１検出電圧信号としてのアナログ信号である第１検出電圧Ｖｖ、第２検出電圧信号としてのアナログ信号である第２検出電圧Ｖｉ、差分電圧信号としてのアナログ信号である差分電圧Ｖｄｆ、第１基準電圧信号としてのアナログ信号である第１基準電圧Ｖｒｆ、第２基準電圧信号としてのアナログ信号である第２基準電圧Ｖｒｓ、および誤差電圧信号としてのアナログ信号である誤差電圧Ｖｅｒを、アナログ回路として構成された稼働状態検出部８、比較部１０、基準電圧出力部１１、電圧合成部１２、誤差検出部１３およびスイッチング制御部１４でアナログ処理する構成を採用しているが、この構成に限定されるものではない。例えば、稼働状態検出部８、比較部１０、基準電圧出力部１１、電圧合成部１２、誤差検出部１３、およびスイッチング制御部１４の少なくとも一部、または全部をマイクロプロセッサ内に組み込むと共に、第１検出電圧信号、第２検出電圧信号、バランス電圧Ｖｂｌ、差分電圧信号、第１基準電圧信号、第２基準電圧信号および誤差電圧信号のうちのマイクロプロセッサ内に組み込む構成要素に関連する電圧信号をＡ／Ｄ変換によりデジタル信号にして取り込んでディジタル処理する構成を採用することもできる。この場合、第１検出電圧Ｖｖ、第２検出電圧Ｖｉ、バランス電圧Ｖｂｌ、および第３検出電圧ＶｔをＡ／Ｄ変換してディジタル信号にしてマイクロプロセッサに取り込めば良い。また、稼働状態検出部８がマイクロプロセッサ内に組み込まれているときには、マイクロプロセッサが、デジタル信号をＤ／Ａ変換することによりアナログ信号の稼働状態検出電圧Ｖｏｐとして突き合わせ回路部９に印加する。これにより、アナログ部品の減少による電源装置の小型化や処理速度向上を図ることができる。また、電力変換部５をフェイズシフト制御によって出力電圧Ｖｏを制御する構成としてもよく、この場合には、スイッチング制御部１４は、複数の駆動信号Ｓｄのデューティー比を一定にした状態で位相を制御（位相シフト制御）することで、稼働状態検出電圧Ｖｏｐとバランス電圧Ｖｂｌの差分が減少し、かつ第１検出電圧Ｖｖと第２基準電圧Ｖｒｓの差分が減少するように複数のスイッチング素子のスイッチング動作を制御する構成とする。
【符号の説明】
【００５８】
１Ａ，１Ｂ，１Ｃ，１Ｄ  電源装置
３ａ，３ｂ  出力端子
４  バランス端子
５  電力変換部
５ａ  スイッチング素子
６  電圧検出部
７  電流検出部
８  稼働状態検出部
９  抵抗（突き合わせ回路部）
１０  比較部
１１  基準電圧出力部
１２  電圧合成部
１３  誤差検出部
１４  スイッチング制御部
Ｉｏ  出力電流
ＬＤ  負荷
Ｖｄｆ  差分電圧
Ｖｅｒ  誤差電圧
Ｖｉ  第２検出電圧
Ｖｉｎ  入力電圧
Ｖｏ  出力電圧
Ｖｏｐ  稼働状態検出電圧
Ｖｒｆ  第１基準電圧
Ｖｒｓ  第２基準電圧
Ｖｖ  第１検出電圧
【図１】
2019022329.tif 000003
【図２】
2019022329.tif 000004
【図３】
2019022329.tif 000005
【図４】
2019022329.tif 000006